(57)【要約】【課題】使い捨ておむつ等の吸収性物品の体液吸収量を効果的に増加させる補助吸収性物品を提供する。【解決手段】表面シート３と裏面シート２との間に吸収体４が介在して構成されるとともに、吸収性物品の表面に重ねて使用される補助吸収性物品１において、前記表面シート３及び裏面シート２は、それぞれ親水性を有する不織布によって構成されるとともに、前記吸収体４には、表面側から裏面側に貫通する吸収体貫通部６を形成し、この吸収体貫通部６では、前記表面シート３と前記裏面シート２とが直接又は前記吸収体の包材５を介して接合される構成とする。【選択図】図１
2010246896.tif 000002
【特許請求の範囲】
【請求項１】
表面シートと裏面シートとの間に吸収体が介在して構成されるとともに、吸収性物品の表面に重ねて使用される補助吸収性物品において、
前記表面シート及び裏面シートは、それぞれ親水性を有する不織布によって構成されるとともに、前記吸収体には、表面側から裏面側に貫通する吸収体貫通部が形成されていることを特徴とする補助吸収性物品。
【請求項２】
前記吸収体貫通部では、前記表面シートと前記裏面シートとが直接又は前記吸収体の包材を介して接合されている請求項１記載の補助吸収性物品。
【請求項３】
平面視で、前記吸収体貫通部の面積が、前記吸収体貫通部がないとした場合の吸収体全面積の２０〜６０％である請求項１、２いずれかに記載の補助吸収性物品。
【請求項４】
前記表面シート及び裏面シートを構成する不織布が、連続する１枚の不織布からなり、この不織布に前記吸収体が被包されている請求項１〜３いずれかに記載の補助吸収性物品。
【請求項５】
前記吸収体貫通部に対応する部分には、前記補助吸収性物品の表面シート及び裏面シートを貫通する開口部が形成されている請求項１〜４いずれかに記載の補助吸収性物品。
【請求項６】
前記吸収体貫通部及び開口部が補助吸収性物品の前側に偏倚して設けられるか、前記吸収体貫通部が補助吸収性物品の中央部分に設けられるとともに前記開口部が補助吸収性物品の長手方向に沿って設けられている請求項５記載の補助吸収性物品。
【請求項７】
前記裏面シートを構成する不織布の親水度は、前記表面シートを構成する不織布の親水度と同等以上とされている請求項１〜６いずれかに記載の補助吸収性物品。
【請求項８】
前記裏面シート側の外面に、前記吸収性物品の表面に対して相対的なズレを防止するズレ止め防止機能が備えられている請求項１〜７いずれかに記載の補助吸収性物品。
【発明の詳細な説明】
【技術分野】
【０００１】
本発明は、使い捨ておむつ等の吸収性物品の表面側に重ねて使用される尿取りパッド、失禁パッドなどの補助吸収性物品であって、吸収性物品の体液吸収量を効果的に増加させる機能を備えた補助吸収性物品に関する。
【背景技術】
【０００２】
従来より、尿取りパッド、失禁パッドなどの補助パッドとして使い捨ておむつ等の吸収性物品の表面に重ねて使用される補助吸収性物品は、軽失禁などにより体液を吸収した補助吸収性物品のみを交換し、経済的な負担の軽減などを目的とした簡易吸収用としての機能と、使い捨ておむつ等の吸収性物品の吸収能を補うことを目的とした吸収能補強用としての機能とを有する。
【０００３】
身体障害者や夜尿症の児童などの場合、ベビー用おむつと大人用おむつの中間サイズのおむつが使用され、近年この中間サイズのおむつに対しても、大人用おむつと同様に、おむつの表面に補助吸収性物品を重ねて装着する使用態様が増えてきた。ここで、大人用のおむつの場合、身体が大きくおむつ交換が難しいので、前記補助吸収性物品を前述の簡易吸収用として機能させる使用態様が多いが、中間サイズのおむつの場合、大人用に比べおむつ交換が容易なので、前記補助吸収性物品によって純粋に吸収量を増加させる吸収能補強用として機能させる使用態様が多い。
【０００４】
このような補助吸収性物品としては従来より種々開発が行われ、例えば、下記特許文献１では、表面シート及び裏面シートがそれぞれ、一方の面が疎水性を有し、他方の面が親水性を有し、親水性を有する他方の面を吸収体と対向させて配された不織布から形成されたものが開示され、下記特許文献２では、吸収コアを通過した液を透過させる液透過領域が形成されたものが開示され、下記特許文献３では、吸収体の上側に積層された透液性のトップシートと、吸収体の下側に積層された排泄液の一部を透過し得る素材からなるバックシートとを備えたものが開示され、下記特許文献４では、液吸収体を液透過性の表面シート及び液透過性の裏面シートの間に挟み込んだものが開示されている。
【先行技術文献】
【特許文献】
【０００５】
【特許文献１】特開２００７−１３５７９０号公報
【特許文献２】特許第３５１９２６７号公報
【特許文献３】特開２００１−７０３４１号公報
【特許文献４】特開昭６３−３０９６０１号公報
【発明の概要】
【発明が解決しようとする課題】
【０００６】
しかしながら、上記特許文献１記載の補助吸収性物品では、排泄される体液が少量の場合には、使い捨ておむつ等へ体液を透過させず、排泄される体液が多量の場合には、使い捨ておむつ等へ体液を透過させるとの考え方であるが、同文献の実施例（表２）では、１５０ｇ（５０ｇ×３回）の生理食塩水の滴下に対して、補助吸収性物品を通過した通液量が３．４０ｇと極めて少なく、そのほとんどが補助吸収性物品に吸収されたままとなっている。このように、上記特許文献１記載の補助吸収性物品では、使い捨ておむつ等に体液を移行させる機能を有しているものの、一度補助吸収性物品の吸収体（パルプやポリマー）に吸収した体液を、重力や滲み出しなどの作用によって使い捨ておむつ側に移行させるものであるため、体液が速やかに移行せず、使い捨ておむつの体液吸収能が十分活用できていないばかりか、補助吸収性物品の吸収量が飽和状態に達すると、補助吸収性物品から体液がこぼれ出て漏れが生じ、補助吸収性物品としての機能が十分に果たせない結果となっている。
【０００７】
また、上記特許文献１記載の補助吸収性物品では、不織布の一方の面が疎水性を有するため、親水性を有する不織布より通液時間が約４．３倍（３４秒／８秒）〜３４．５倍（１３８秒／４秒）も長くなり（同文献実施例の表１参照）、補助吸収性物品から使い捨ておむつへの体液の移行速度が悪化する原因となっていた。これにより、体液が補助吸収性物品に滞留しやすくなり、前述の通り体液がこぼれ出て漏れが生じ、補助吸収性物品としての機能が十分に果たせない結果となる。
【０００８】
一方、上記特許文献２〜４記載の補助吸収性物品では、排泄量が多い場合に使い捨ておむつ等へ積極的に体液を透過させることを目的として、液透過領域を形成したり（特許文献２）、バックシートに開口を設けたり（特許文献３）、液吸収体を液透過性のシートで挟み込んだり（特許文献４）する構成が採用されているが、いずれも、一度補助吸収性物品の吸収体に吸収された体液を使い捨ておむつ側に移行させるものであるため、上記特許文献１と同様に、補助吸収性物品の体液吸収量が飽和状態に達すると、補助吸収性物品から体液がこぼれ出て漏れが生じ、補助吸収性物品としての機能が十分に果たせていない。
【０００９】
ところで、前述の中間サイズのおむつは、これを着用して学校に登校する児童も多いため、他の人から気付かれにくいように薄型の商品が望まれている。このため、薄型のおむつ（吸収性物品）でも、その吸収量を効果的に増加できる補助吸収性物品が望まれていた。
【００１０】
そこで本発明の主たる課題は、使い捨ておむつ等の吸収性物品の体液吸収量を効果的に増加させる補助吸収性物品を提供することにある。
【課題を解決するための手段】
【００１１】
前記課題を解決するために請求項１に係る本発明として、表面シートと裏面シートとの間に吸収体が介在して構成されるとともに、吸収性物品の表面に重ねて使用される補助吸収性物品において、
前記表面シート及び裏面シートは、それぞれ親水性を有する不織布によって構成されるとともに、前記吸収体には、表面側から裏面側に貫通する吸収体貫通部が形成されていることを特徴とする補助吸収性物品が提供される。
【００１２】
上記請求項１記載の発明では、前記表面シート及び裏面シートがそれぞれ親水性を有する不織布によって構成されるとともに、前記吸収体には、表面側から裏面側に貫通する吸収体貫通部が形成されているため、補助吸収性物品の表面に排泄された体液は、補助吸収性物品の吸収体に吸収されるとともに、一部が前記吸収体貫通部を通過して、下層の吸収性物品にも速やかに吸収される。このように、本発明に係る補助吸収性物品を積層することによって、排泄された体液が補助吸収性物品とその下層の吸収性物品との両方に同時に吸収されるため、補助吸収性物品の吸収体に吸収された体液を下層の吸収性物品に移行させるより、吸収性物品の体液吸収量を効果的に増加させることができる。
【００１３】
また、補助吸収性物品の体液吸収量が飽和状態となっても、その後の排泄に対しては、前記吸収体貫通部を透過して下層の吸収性物品に吸収させることができるため、補助吸収性物品からこぼれ出て漏れが生じるようなことが無くなる。
【００１４】
請求項２に係る本発明として、前記吸収体貫通部では、前記表面シートと前記裏面シートとが直接又は前記吸収体の包材を介して接合されている請求項１記載の補助吸収性物品が提供される。
【００１５】
上記請求項２記載の発明では、前記吸収体貫通部の表面シートと裏面シートとを直接又は前記吸収体の包材を介して接合することにより、体液が吸収体貫通部を速やかに通過できるようにしたものである。
【００１６】
請求項３に係る本発明として、平面視で、前記吸収体貫通部の面積が、前記吸収体貫通部がないとした場合の吸収体全面積の２０〜６０％である請求項１、２いずれかに記載の補助吸収性物品が提供される。
【００１７】
上記請求項３記載の発明は、吸収体貫通部の面積割合を規定したものであり、この割合で吸収体貫通部を形成することにより、補助吸収性物品と下層の吸収性物品との両方に効果的に体液が吸収されるようになる。すなわち、吸収体貫通部の面積が２０％未満では吸収体貫通部の効果が得られにくく、６０％を超える場合には吸収性能が必ずしも問題となることはないが補助吸収性物品の形態保持性が損なわれるようになる。
【００１８】
請求項４に係る本発明として、前記表面シート及び裏面シートを構成する不織布が、連続する１枚の不織布からなり、この不織布に前記吸収体が被包されている請求項１〜３いずれかに記載の補助吸収性物品が提供される。
【００１９】
上記請求項４記載の発明では、製造工程を簡略化するため、表面シート及び裏面シートを構成する不織布を連続する１枚の不織布から構成し、この不織布に前記吸収体を包むようにしたものである。
【００２０】
請求項５に係る本発明として、前記吸収体貫通部に対応する部分には、前記補助吸収性物品の表面シート及び裏面シートを貫通する開口部が形成されている請求項１〜４いずれかに記載の補助吸収性物品が提供される。
【００２１】
上記請求項５記載の発明では、吸収体貫通部での体液通過がより速やかに行われるようにするため、吸収体貫通部に対応する部分に、前記補助吸収性物品の表面シート及び裏面シートを貫通する開口部を形成するようにしたものである。
【００２２】
請求項６に係る本発明として、前記吸収体貫通部及び開口部が補助吸収性物品の前側に偏倚して設けられるか、前記吸収体貫通部が補助吸収性物品の中央部分に設けられるとともに前記開口部が補助吸収性物品の長手方向に沿って設けられている請求項５記載の補助吸収性物品が提供される。
【００２３】
上記請求項６記載の発明は、男女別に作られた使い捨ておむつを使用する場合などに好適に用いられるものであり、それぞれ排尿口に近い部分に前記吸収体貫通部及び開口部を設けるようにしたものである。
【００２４】
請求項７に係る本発明として、前記裏面シートを構成する不織布の親水度は、前記表面シートを構成する不織布の親水度と同等以上とされている請求項１〜６いずれかに記載の補助吸収性物品が提供される。
【００２５】
上記請求項７記載の発明では、前記裏面シートを構成する不織布の親水度を、前記表面シートを構成する不織布の親水度と同等以上とすることにより、吸収体貫通部において表面シートから裏面シートに向けて体液が加速的に透過できるようになる。さらに、補助吸収性物品の吸収体に吸収された体液も、前記裏面シートを透過して下層の吸収性物品に移行しやすくなる。
【００２６】
請求項８に係る本発明として、前記裏面シート側の外面に、前記吸収性物品の表面に対して相対的なズレを防止するズレ止め防止機能が備えられている請求項１〜７いずれかに記載の補助吸収性物品が提供される。
【００２７】
上記請求項８記載の発明では、着用中の補助吸収性物品の位置ズレを防止するため、前記裏面シート側の外面に、前記吸収性物品の表面に対して相対的なズレを防止するズレ止め防止機能を備えるようにしたものである。
【発明の効果】
【００２８】
以上詳説のとおり本発明によれば、使い捨ておむつ等の吸収性物品の体液吸収量を効果的に増加し得る補助吸収性物品が提供できる。
【図面の簡単な説明】
【００２９】
【図１】本発明に係る補助吸収性物品１の第１形態例を示す一部破断展開図である。
【図２】そのII−II線矢視図である。
【図３】第２形態例に係る補助吸収性物品１の展開図である。
【図４】第３形態例に係る補助吸収性物品１の展開図である。
【図５】第４形態例に係る補助吸収性物品１の展開図である。
【図６】第５形態例に係る補助吸収性物品１の展開図である。
【図７】第５形態例に係る補助吸収性物品１の他の形態例（その１）である。
【図８】第５形態例に係る補助吸収性物品１の他の形態例（その２）である。
【図９】第６形態例に係る補助吸収性物品１の展開図である。
【図１０】第１の供試体に係る補助吸収性物品１の展開図である。
【図１１】第２の供試体に係る補助吸収性物品１の展開図である。
【発明を実施するための形態】
【００３０】
以下、本発明の実施の形態について図面を参照しながら詳述する。なお、本発明における「長手方向」とは、補助吸収性物品１の前側と後側を結ぶ方向を意味し、「幅方向」とは長手方向と直交する方向（補助吸収性物品展開時の左右方向）を意味する。なお、図面の所要部位において接着部位を×印で表示している。
【００３１】
本発明に係る補助吸収性物品１は、使い捨ておむつ等の吸収性物品の表面に重ねて使用することにより、前記吸収性物品の吸収量を増加させるものである。
【００３２】
図１及び図２において、前記補助吸収性物品１は、綿状パルプ等からなり、たとえば長方形状（または砂時計形状）等の平面形状で、ある程度の剛性を有するとともに、被包シート５によって囲繞された吸収体４と、該吸収体４の表面側（肌当接面側）を覆うように配設された有孔または無孔の親水性を有する不織布からなる透液性表面シート３と、前記吸収体４の外面側（非肌当接面側）を覆うように配設された有孔または無孔の親水性を有する不織布からなる透液性裏面シート２とから主に構成されている。
【００３３】
特に、本発明では、前記吸収体４には、表面側から裏面側に貫通する吸収体貫通部６、６…が形成されている。この吸収体貫通部６では、表面シート３と裏面シート２とが前記被包シート５を介してそれぞれ接合されている。すなわち、排泄された体液は、前記吸収体貫通部６では、吸収体４に吸収されずに、表面シート３から裏面シート２へ直接通液されるようになっている。
【００３４】
以下、更に各構成について具体的に詳述すると、
前記吸収体４は、たとえば綿状パルプ等の繊維集合体と高吸収性ポリマー（ＳＡＰ）、繊維状ＳＡＰ等の高吸収材とにより構成され、図示例では長方形状のものが使用され、その幅寸法は股間部への当たりによって着用者にゴワ付き感を与えない寸法幅となっている。吸収体４の平面形状としては、脚回りへの当たりを和らげるために両側部に夫々括れ部を有する略砂時計状とすることもできる。前記吸収体４は、積繊又はエアレイドなどにより加工され、坪量が５０〜６００ｇ／ｍ２程度が好ましく、３００〜５００ｇ／ｍ２程度がより好ましい。
【００３５】
前記高吸収性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。前記吸収体４における高吸収性ポリマーの含有比率は、３０〜７０％程度が適当であるが、これに限るものではない。
【００３６】
前記吸収体４は、被包シート５によって囲繞されている。被包シート５は、ティシュー等の紙材からなるクレープ紙を使用することに問題はないが、吸収速度を速めるため不織布を使用することが好ましい。厚みは０．０５〜０．５ｍｍ程度が好ましく、０．０５〜０．２ｍｍ程度がより好ましい。坪量は５〜２５ｇ／ｍ２程度が好ましく、５〜１５ｇ／ｍ２程度がより好ましい。不織布を用いる場合は、スパンボンド法やＳＭＳ法により加工された不織布、特にＳＭＳ法により加工された不織布が、薄さと強度のバランスに優れる点で好適である。一方、前記被包シート５は無くても良く、吸収体４を表面シート３及び裏面シート２で直接包む方が吸収速度、コストの面で好ましい。
【００３７】
前記吸収体４の表面側（肌当接面側）を覆う透液性の表面シート３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、吸収体４を構成するパルプ及びＳＡＰが抜け出ないように、ＳＭＳ法により加工された不織布が好適である。これらは１層からなるシートが操業の点から最も好ましいが、２層以上（同一種類あるいは複数種類）からなるシートでもよいが、合計の坪量としては、１０〜４０ｇ／ｍ２が好ましく、１０〜２２ｇ／ｍ２がより好ましく、１０〜１５ｇ／ｍ２が特に好ましい。厚みは１ｍｍ以下が好ましく、０．５ｍｍ以下がより好ましく、０．３ｍｍ以下が特に好ましい。表面シート３に多数の透孔を形成した場合には、尿などが速やかに吸収されるようになり、ドライタッチ性に優れたものとなる。前記表面シート３は、吸収体４の側縁部から側方まで延在している。
【００３８】
前記吸収体４の裏面側（外面側）を覆う透液性の裏面シート２としては、上記表面シート３と同様に有孔または無孔の不織布や多孔性プラスチックシートなどが好適に用いられる。前記裏面シート２も、吸収体４の側縁部から側方の前記表面シート３と同様の範囲まで延在している。図示例では、表面シート３と裏面シート２とが別体のシート材で構成したものをそれぞれ吸収体４の表裏面に覆っているが、前記表面シート３及び裏面シート２を構成する不織布が、連続する１枚の不織布からなり、この不織布によって前記吸収体４を額巻き又は被包するようにして包むようにしてもよい。
【００３９】
前記裏面シート２を構成する不織布の親水度は、表面シート３を構成する不織布の親水度に対して同等以上とすることが好ましい。これにより、吸収体貫通部６において、表面シート３から裏面シート２に向けて親水度の勾配が形成され、体液が加速的に裏面シート２側に移行できるようになるとともに、表面シート３の親水度よりも高くすることにより逆戻りの低減にもなる。さらに、補助吸収性物品１の吸収体４に吸収され、吸収体４の裏面側まで到達した体液も、裏面シート２を透過して下層の吸収性物品に移行しやすくなる。
【００４０】
前記裏面シート２及び表面シート３の親水度の調整は、界面活性剤の塗布量を調整することにより成すことができる。前記界面活性剤としては、例えば陰イオン性界面活性剤、カルボン酸塩、アシル化加水分解タンパク質、スルホン酸塩、硫酸エステル塩、リン酸エステル塩、非イオン性界面活性剤、ポリオキシエチレン系界面活性剤、カルボン酸エステル、カルボン酸アミド、ポリアルキレノキシドブロック共重合物、陽イオン性界面活性剤、第四級アンモニウム塩、両性界面活性剤、イミダゾリニウム誘導体等が挙げられ、この他にも繊維に塗布される界面活性剤として公知の界面活性剤であればどのようなものを適用しても良い。
（吸収体貫通部６について）
以下、前記吸収体貫通部６についてさらに詳しく説明する。
【００４１】
前記吸収体貫通部６は、前述の通り、吸収体４の表面側から裏面側にかけて吸収体４が存在せず貫通する部分であり、吸収体４の表面に対して１又は複数設けられている。前記吸収体貫通部６では、表面シート３と裏面シート２とが直接又は前記被包シート５を介してそれぞれ、ホットメルトなどの接着剤、ヒートシールなどの接合手段によって接合されている。
【００４２】
吸収体貫通部６、６…の面積は、図１に示される平面視で、吸収体貫通部６、６…がないとした場合の吸収体全面積（吸収体４の外形寸法の縦×横から得られる面積）の２０〜６０％であることが好ましく、２０〜４０％であることがより好ましい。吸収体貫通部６の面積が２０％未満では吸収体貫通部６の効果が得られにくく、６０％を超える場合には吸収性能が必ずしも問題となることはないが補助吸収性物品１の形態保持性が損なわれるようになる。
【００４３】
前記吸収体貫通部６は、直線、曲線、円形、四角形、三角形など任意の形状で、吸収体４の表面に１又は複数形成することができる。また吸収体貫通部６の吸収体４の表面に対する位置は任意であるが、平面視で吸収体４の略中央部を中心に形成することが好ましい。
【００４４】
以下、前記吸収体貫通部６の具体的な形態例について、図１〜図６に基づいて詳述する。
【００４５】
第１形態例では、図１及び図２に示されるように、円形状の吸収体貫通部６を吸収体４の略中央部に長手方向に沿って４つずつ２列に配列したものである。これにより、排泄された体液が各吸収体貫通部６に分散して下層の吸収性物品に移行できる。
【００４６】
第２形態例では、図３に示されるように、吸収体４の略中央部に長手方向に長い楕円形状の吸収体貫通部６を１つ形成したものである。これにより、排泄された体液を速やかに吸収性物品に移行させることができる。
【００４７】
第３形態例では、図４に示されるように、吸収体４の略中央部に、長手方向に長い溝状の前後両端を二股に分岐させた吸収体貫通部６を形成したものである。このときの平面形状は、例えば１列又は複数列の直線状（長方形状、図８及び図９参照）、前後両端を幅方向に直交させたＩ字状などとすることもできる。
【００４８】
第４形態例では、図５に示されるように、吸収体４の略中央部に、外周が長手方向に長い楕円形のリング状に縁取られた吸収体貫通部６Ａと、その内部に長手方向に長い楕円形状の吸収体貫通部６ｂとをそれぞれ１つずつ形成したものである。これにより、中央部に排泄された体液が前後左右の任意の方向に流れても、前記吸収体貫通部６ａ、６ｂで捕捉でき、下層の吸収性物品に移行させることができる。なお、内部の吸収体貫通部６ｂは無くても良い。
【００４９】
第５形態例では、図６に示されるように、吸収体４の略中央部に、長手方向に長い楕円形状の吸収体貫通部６が形成されるとともに、その吸収体貫通部６に対応する部分の略中央部に、補助吸収性物品１の表面シート３及び裏面シート２を貫通する開口部７が形成されている。すなわち、前記開口部７では、表面シート３、裏面シート２及び被包シート５が介在せず、完全な貫通穴となっている。このため、排泄された体液は前記開口部７を通じて直接下層の吸収性物品に移行するので、体液通過がより速やかに行われるようになる。
【００５０】
上記開口部７を設けることによる効果についてより詳細に説明すると、一般に使い捨ておむつ等の吸収性物品の表面に補助吸収性物品を重ねて使用した場合、使用者に近い側の補助吸収性物品の方が早く飽和状態となりやすく、この飽和状態の補助吸収性物品に複数回の排尿がされた場合などには十分な吸収性能を発揮できず、逆に漏れや逆戻りを誘発する蓋然性が高かった。この対策として、補助吸収性物品自体を大型化、高吸収能化させることが考えられる。
【００５１】
しかしながら、大型化、高吸収能化にも限度があり前記問題の根本的な解決には至っていないとともに、装着感の悪化やコスト高などの問題が生じる場合があった。
【００５２】
そこで、本補助吸収性物品１では、主として使い捨ておむつ等の吸収性物品の吸収能力によって体液を吸収し、その一部を補助吸収性物品１に負担させるという考えの下で、前記吸収体貫通部６に対応する部分に前記開口部７を設けることによって、吸収性物品に積極的に体液を移行させ、使い捨ておむつ等の吸収性物品及び補助吸収性物品１のトータルの吸収量を増加させるとともに、複数回の排尿に対して補助吸収性物品１の吸収量を徐々に増やすことで補助吸収性物品１の体液吸収能力の低下、体液の漏れ及び逆戻りを図ったものである。
【００５３】
具体的に体液吸収のメカニズムについて説明すると、１回目の排尿に対しては、その大部分が開口部７を通して外側の使い捨ておむつに吸収され（第１形態）、開口部７周縁の表面シート３及び裏面シート２が介在する吸収体貫通部６に一時滞留した体液が、吸収体貫通部６周縁の吸収体４に吸収される（第２形態）とともに、表面シート３及び裏面シート２を透過して使い捨ておむつに吸収される（第３形態）。このように１回目の排尿に対しては、３形態で使い捨ておむつ及び補助吸収性物品１にそれぞれ吸収される。
【００５４】
２回目の排尿に対しても同様に、(1)開口部７を通して使い捨ておむつに吸収されるもの、(2)吸収体貫通部６周縁の吸収体４に吸収されるもの、(3)吸収体貫通部６を透過して使い捨ておむつに吸収されるものの３形態がある。
【００５５】
排尿回数が増えるに従い、使い捨ておむつ自体の吸収余力が減少するため、補助吸収性物品１に吸収される割合が増加する。
【００５６】
このように、本補助吸収性物品１は、使い捨ておむつの吸収能力を十分に生かしつつ補助吸収性物品１によって補強するものであり、排尿回数の増加による吸収性能の低下を防止するとともに、体液の漏れ及び逆戻りを防止したものである。
【００５７】
前記開口部７を設けた補助吸収性物品１の他の形態例としては、図７に示されるように、吸収体貫通部６及び開口部７の数（図７(A)〜(C)）及び大きさ（図７(C)、(D)）を任意に調整したものとすることができる。従って、例えば吸収能力の高い使い捨ておむつを使用する場合、吸収体貫通部６及び開口部７の数又は大きさを大きくして、使い捨ておむつに移行させる体液量を増やし、使い捨ておむつ自体の吸収性能を十分に活用する。一方、吸収能力の低い外出用や薄型の使い捨ておむつを使用する場合、吸収体貫通部６及び開口部７の数又は大きさを小さくして、使い捨ておむつに移行させる体液量を少なくし、補助吸収性物品１の吸収性能を活用する。
【００５８】
また、本補助吸収性物品１は、男女別に作られた使い捨ておむつを使用する場合などにおいて、図８に示されるように、男性用として吸収体貫通部６及び開口部７が補助吸収性物品１の前側に偏倚して設けられるようにしたもの（同図８(A)）、女性用として吸収体貫通部６が補助吸収性物品１の中央部分に設けられるとともに、この吸収体貫通部６に形成される開口部７が補助吸収性物品１の長手方向に沿って設けられるようにしたもの（同図８(B)）とすることができる。これにより、それぞれ排尿口に近い部分に吸収体貫通部６及び開口部７が設けられ、上述の吸収性能の低下防止、漏れ及び逆戻り防止などがより効果的となる。このとき、開口部７の大きさは、同図８(A)の男性用の場合、陰茎から直接集中的に排尿されるため比較的大きくし、同図８(B)の女性用の場合、排尿口が陰唇や大陰唇で隠れていることから排尿速度が比較的遅いとともに前後方向に拡がって排尿されるため小さな複数の、図示例では３つの開口部７、７…を補助吸収性物品１の長手方向に沿って配列するように設けることが好ましい。図８(B)において、開口部７は縦長の開口部７を１つ設けるようにしても良い。
【００５９】
ところで、前記補助吸収性物品１には、図９に示されるように、前記裏面シート２の外面に、吸収性物品の表面に対して相対的なズレを防止するためのズレ止め防止機構８、８を備えるようにすることができる。前記ズレ止め防止機構８は、前記裏面シート２に対して１又は複数の線状、点状、円形状など任意の形状で設けることができ、図示例では長手方向に沿う線状のズレ止め防止機構８、８が幅方向に離間して２本設けられている。前記ズレ止め防止機構８は、図示例のように、吸収体貫通部６と重なる位置に設けると、吸収体貫通部６と吸収性物品の表面との密着性が向上し、速やかな体液の移行が可能となるため好ましい。ただし、その重なり代は、吸収体貫通部６の体液透過効果を阻害しないように、平面視で、吸収体貫通部６の総面積の７０％より小さくなるようにする。前記ズレ止め防止機構８は、フック材などの機械的接合手段や粘着剤、発泡ウレタンなどのエラストマー等を使用することができる。
【実施例】
【００６０】
前記補助吸収性物品１の吸収性能の効果を実証するため、図１０及び図１１に示されるように、補助吸収性物品１の供試体を作成し、吸収性能の評価試験を行った。実験では、図１０及び図１１に示されるように、ＳＭＳ法により製作した親水性不織布（坪量１３ｇ／ｍ２）からなる表面シート３と裏面シート２との間に、長さ３１５mm×幅１１５mmの外形寸法（吸収体貫通部６がないとした場合の吸収体の面積は約３６２ｃｍ２）を有し、パルプ６ｇ及びポリマー６ｇを混合させた吸収体４が介在して構成され、前記吸収体４に１列（図１０）又は２列（図１１）で長方形状の吸収体貫通部６及び開口部７を各寸法で形成した補助吸収性物品１の供試体を作成した。この補助吸収性物品１に対して、１回分の排尿量に相当する１００ccの人工尿を３回に亘って注入したときの吸収速度（吸収時間）、補助吸収性物品１の吸収量及び補助吸収性物品１の逆戻り量を夫々計測した。前記吸収速度（吸収時間）の測定は、注入筒へ１００ccの人工尿を注ぎ始めてから人工尿が補助吸収性物品１の表面から吸収されてなくなるまでの時間をストップウォッチで計測した。なお、前記注入筒はポリアクリルで作成され、重量が２ｋｇで、補助吸収性物品１と接する底面は平らで、寸法が６００mm×２５０mmの長方形で、計測に当たり補助吸収性物品１は注入筒で完全に覆われる形で行なった。液体注入部の内径は２５mmで注入部の高さは１０５mmである。なお、人工尿が補助吸収性物品１に完全に吸収された後、注入筒は補助吸収性物品１の上部から取り除いた。人工尿の注入位置は、補助吸収性物品１の中央部分、すなわち長手方向中心線と幅方向中心線が交わる部分に注入筒の注入部の中心がほぼ一致する位置とした。人工尿の注入は１００ccを５分間隔で３回行い、各注入回毎に計測を行った。前記吸収量は、人工尿が補助吸収性物品１の表面から吸収されてなくなった後、２０秒後の重量を計測し、予め計測していた人工尿注入前の補助吸収性物品１の重量を差し引くことにより得られた値である。前記逆戻り量は、１００mm四方のろ紙を複数枚積層した約４０ｇ分の乾燥重量を０．０００１ｇの単位まで測定しておき、人工尿注入３分後に補助吸収性物品１の表面中央部に前記ろ紙の積層物を敷くとともに、その上に５ｋｇの錘（底面積１００mm四方）を載置し、１０秒後のろ紙の重量から前記乾燥重量を差し引くことにより得られた値である。
【表１】
2010246896.tif 000003
*1）対吸収体４比  *2）対吸収体貫通部６比  *3）対吸収体４比
この結果、吸収体４に吸収体貫通部６を形成した補助吸収性物品１（実施例１〜６）は、その吸収体貫通部６の形状・面積・開口部７の有無に関わらず、吸収体貫通部の無い補助吸収性物品（比較例１）と比べて吸収速度が速く（吸収時間が短く）、吸収速度が遅いために発生するもれを解消できる。また補助吸収性物品１の吸収量は少なく、吸収性物品に人工尿を多く移行させ、かつ補助吸収性物品１でも吸収することで効果的に事実上の吸収量を向上させることができる。また、補助吸収性物品１の表面の逆戻りも少なく、着用者への肌トラブル発生の確率が低下できる。従って、使い捨ておむつ等の吸収性物品の体液吸収量を効果的に増加させることができる。
【００６１】
また、前記補助吸収性物品１は、実施例１と２との比較、実施例３と４との比較及び実施例５と６との比較から、いずれも開口部７を設けた方が少なくとも吸収速度が速く（吸収時間が短く）なる。このときの開口部７の面積率は、吸収体（吸収体貫通部６がないとした場合の吸収体）の面積約３６２ｃｍ２に対して３０％以下、具体的には１０〜３０％であることが好ましい。３０％を越える面積で開口部７を形成すると、補助吸収性物品１の形態保持性が損なわれるおそれがある。
【００６２】
前記開口部７を設けた補助吸収性物品１は、吸収速度が速くなるため、補助吸収性物品１に吸収される吸収量を少なくすることができ、補助吸収性物品１と使い捨ておむつ等の吸収性物品とにバランス良く体液が分散吸収されるようになる。
〔他の形態例〕
(1)上記補助吸収性物品１には、ビタミンＥや消臭剤、芳香剤などを添加し、他の機能を具備するようにしてもよい。
【符号の説明】
【００６３】
１…補助吸収性物品、２…裏面シート、３…表面シート、４…吸収体、５…被包シート、６…吸収体貫通部、７…開口部、８…ズレ止め防止機構
【図１】
2010246896.tif 000004
【図２】
2010246896.tif 000005
【図３】
2010246896.tif 000006
【図４】
2010246896.tif 000007
【図５】
2010246896.tif 000008
【図６】
2010246896.tif 000009
【図７】
2010246896.tif 000010
【図８】
2010246896.tif 000011
【図９】
2010246896.tif 000012
【図１０】
2010246896.tif 000013
【図１１】
2010246896.tif 000014